(57)【要約】      （修正有）【課題】  歩道での通行を確保しつつ、トンネル内の排水を効率的に行うことができるトンネル内排水処理システムを提供する。【解決手段】  トンネルの内側下縁部に接した歩道部に互いに隣接するように連続して配置された複数の排水処理ボックス10を備え、各排水処理ボックス10が、矩形の底板12と、底板12の一方の長辺部に垂直方向上方に延びるように接続された矩形の前面板14と、底板12の他方の長辺部に垂直方向上方に前面板14より高い箇所まで延びるように接続された矩形の後面板16と、排水処理ボックス10の上方を覆う蓋板18とを有し、蓋板18が、前面板14の側に位置する水平部と、後面板16の側に位置する傾斜部とを有しており、各排水処理ボックス10が、蓋板18の水平部の上面が歩道部の上面とほぼ同一となるように配置されており、トンネル内壁に設けられた導水路が、排水処理ボックス10の後面板16に形成された開口部16aと連通している。【選択図】  図２
2006104752.tif 000002
【特許請求の範囲】
【請求項１】
トンネル内排水処理システムであって、
トンネルの内側下縁部に接した歩道部に互いに隣接するように連続して配置された複数の排水処理ボックスを備え、
各排水処理ボックスが、矩形の底板と、前記底板の一方の長辺部に垂直方向上方に延びるように接続された矩形の前面板と、前記底板の他方の長辺部に垂直方向上方に前記前面板より高い箇所まで延びるように接続された矩形の後面板と、前記排水処理ボックスの上方を覆う蓋板とを有し、前記蓋板が、前記前面板の側に位置する水平部と、前記後面板の側に位置する傾斜部とを有しており、
各排水処理ボックスが、前記蓋板の水平部の上面が前記歩道部の上面とほぼ同一となるように配置されており、
トンネル内壁に設けられた導水路が、前記排水処理ボックスの前記後面板に形成された開口部と連通しており、
最端部に位置する排水処理ボックスが、下水処理施設の排水溝に接続されている、
ことを特徴とするシステム。
【請求項２】
前記蓋板が、前記傾斜部の上縁のところで前記後面板の上縁に回動可能に取り付けられていることを特徴とする請求項１に記載のシステム。
【請求項３】
前記各排水処理ボックスが、断熱材を芯材とし、断熱材の両面を鋼材で被覆した複合部材によって形成されていることを特徴とする請求項１又は２に記載のシステム。
【発明の詳細な説明】
【技術分野】
【０００１】
本発明は、歩道での通行を確保しつつ、トンネル内の排水を効率的に行うことができるトンネル内排水処理システムに関する。
【背景技術】
【０００２】
トンネル内壁には、地下水等の漏出を防ぐため、図５に示されるように、モルタル等を塗布する防水工を施していることが多い。しかし、年月が経過するにつれて、防水工にクラックが発生し、クラックから漏水して、トンネル内の車道に水が溜まり、寒冷地では冬期に水が氷結してアイスバーンが形成されることがある。このような事態に至ると、車両通行の安全が脅かされることとなるため、トンネル内の歩道部に側溝を設け、車道に水が溜まらないような工夫がなされている場合がある。
【発明の開示】
【発明が解決しようとする課題】
【０００３】
しかしながら、トンネル内の歩道部に側溝を設けると、歩道部の幅が狭くなるため、歩道の通行に支障を来すという弊害がある。本発明は、このような現状に鑑みて開発されたものであって、歩道での通行を確保しつつ、トンネル内の排水を効率的に行うことができるトンネル内排水処理システムを提供することを目的としている。
【課題を解決するための手段】
【０００４】
本願請求項１に記載のトンネル内排水処理システムは、トンネルの内側下縁部に接した歩道部に互いに隣接するように連続して配置された複数の排水処理ボックスを備え、各排水処理ボックスが、矩形の底板と、前記底板の一方の長辺部に垂直方向上方に延びるように接続された矩形の前面板と、前記底板の他方の長辺部に垂直方向上方に前記前面板より高い箇所まで延びるように接続された矩形の後面板と、前記排水処理ボックスの上方を覆う蓋板とを有し、前記蓋板が、前記前面板の側に位置する水平部と、前記後面板の側に位置する傾斜部とを有しており、各排水処理ボックスが、前記蓋板の水平部の上面が前記歩道部の上面とほぼ同一となるように配置されており、トンネル内壁に設けられた導水路が、前記排水処理ボックスの前記後面板に形成された開口部と連通しており、最端部に位置する排水処理ボックスが、下水処理施設の排水溝に接続されていることを特徴とするものである。
【０００５】
本願請求項２に記載のトンネル内排水処理システムは、前記請求項１のシステムにおいて、前記蓋板が、前記傾斜部の上縁のところで前記後面板の上縁に回動可能に取り付けられていることを特徴とするものである。
【０００６】
本願請求項３に記載のトンネル内排水処理システムは、前記請求項１又は２のシステムにおいて、前記各排水処理ボックスが、断熱材を芯材とし、断熱材の両面を鋼材で被覆した複合部材によって形成されていることを特徴とするものである。
【発明の効果】
【０００７】
本発明によれば、歩道の通行に支障を来すことなく、トンネル内の排水を効率的に行うことができる。また、排水処理ボックスの蓋板を開閉式にすることにより、排水処理ボックス内の清掃を容易に行うことができる。また、排水処理ボックスを、断熱材を芯材とした複合材料で形成することによって、冬期における排水の凍結を回避することができる。さらに、本発明では、導水路の位置にかかわらず、排水処理ボックス（即ち、排水処理システム）を設置することができる。
【発明を実施するための最良の形態】
【０００８】
次に図面を参照して、本発明の好ましい実施の形態に係るトンネル内排水処理システムについて詳細に説明する。図１は、本発明の好ましい実施の形態に係るトンネル内排水処理システムが設置されたトンネルの断面図、図２は、図１の部分２の拡大図である。本発明の好ましい実施の形態に係るトンネル内排水処理システムは、トンネルの内側下縁部に接した歩道箇所に設置される排水処理ボックス１０を備えている。図３は、排水処理ボックス１０を示した拡大斜視図である。
【０００９】
排水処理ボックス１０は、矩形の底板１２と、底板１２の一方の長辺部１２ａに垂直方向上方に延びるように接続された矩形の前面板１４と、底板１２の他方の長辺部１２ｂに垂直方向上方に前面板１４より高い箇所まで延びるように接続された矩形の後面板１６と、排水処理ボックス１０の上方を覆う蓋板１８とを有している。
【００１０】
蓋板１８は、図３（ａ）に最も良く示されるように、前面板１４の側に位置する水平部１８ａと、後面板１６の側に位置する傾斜部１８ｂとを有している。水平部１８ａと傾斜部１８ｂは、互いに接する箇所で溶接によって接合することによって、或いは、１枚の矩形板を折り曲げることによって形成されている。
【００１１】
好ましくは、蓋板１８は、傾斜部１８ｂの上縁のところで後面板１６の上縁に回動可能に取り付けられている。図３（ｂ）は、蓋板１８を上方に回動させて排水処理ボックス１０の上方を開放した状態を示した斜視図を示している。
【００１２】
なお、排水処理ボックス１０（即ち、底板１２、前面板１４、後面板１６、及び蓋板１８）は、断熱材を芯材とし、断熱材の両面を鋼材で被覆した複合部材で形成するのが好ましい（図３（ｃ）参照）。
【００１３】
排水処理ボックス１０の後面板１６には、後述するトンネル内壁に設けられる導水路と連通させる開口部１６ａが形成されている。
【００１４】
図５は、排水処理ボックス１０が配置されている状態を示した斜視図である。排水処理ボックス１０は、図５に示されるように、トンネルの内側下縁部に接した歩道箇所に互いに隣接するように連続して配列されており、最端部に位置する排水処理ボックス１０（図示せず）は、下水処理施設の排水溝（図示せず）に接続されている。また、排水処理ボックス１０は、図２に示されるように、蓋板１８の水平部１８ａの上面が歩道部の上面とほぼ同一となるように設置されている。
【００１５】
次に、以上のように構成されたトンネル内排水処理システムの使用について説明する。図５に示されるように、排水処理ボックス１０を配置する。その際、トンネル内壁に発生するクラック等を利用して導水路をトンネル内壁に形成し、導水路が排水処理ボックス１０の後面板１６の開口部１６ａと連通するようにする。図４（ｂ）は、導水路の一例を示した断面図である。この導水路は、クラック発生箇所や目地の箇所にカッタ等で切れ込みを設け、切れ込みに発泡体を配置した後、接着剤でカバープレートを取り付けた例を示しているが、他の型式の導水路を用いてもよい。そして、漏出した水は、導水路を経由して排水処理ボックス１０内に入り、排水溝に流れて処理されるようになっている。なお、排水処理ボックス１０内を清掃しようとする際には、蓋１８を回動させて上面を開放する（図２の二点鎖線参照）ことによって、容易に清掃を行うことができる。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００１７】
【図１】本発明の好ましい実施の形態に係るトンネル内排水処理システムが設置されたトンネルの断面図である。
【図２】図１の部分２の拡大図である。
【図３】図３（ａ）は、蓋板を閉鎖した状態における排水処理ボックスの拡大斜視図、図３（ｂ）は、蓋板を開放した状態における排水処理ボックスの拡大斜図、図３（ｃ）は、蓋板に使用する複合材料を示した断面図である。
【図４】図４（ａ）は、トンネル内の歩道に複数の排水処理ボックスが配置されている状態を示した斜視図、図４（ｂ）は、トンネル内壁に設けられる導水路の一例を示した断面図である。
【図５】従来のトンネル内を示した断面図である。
【符号の説明】
【００１８】
１０  排水処理ボックス
１２  底板
１４  前面板
１６  後面板
１８  蓋板
【図１】
2006104752.tif 000003
【図２】
2006104752.tif 000004
【図３】
2006104752.tif 000005
【図４】
2006104752.tif 000006
【図５】
2006104752.tif 000007